(57)【要約】      （修正有）【課題】他人の手を借りずに自分の背中のマッサージをすることができる手動式マッサージ器を提供する。【解決手段】マッサージ器本体２は、シャフト２３に歯車状回転ローラー対３１、３２を回転自在に緩装し、シャフトの両端にそれぞれ伸縮しない素材よりなる繋引ロープ４１、４２の一端を着脱自在に取り付ける。シャフトの中央に板状ハンドル８の先端を回動自在に嵌め込み、その他端には、伸縮ロープ５３を取り付け、その先に板状の固定具８６を取り付ける。固定具を臀部に敷いてマッサージ器本体を背中に当てて繋引ロープを両手で引いたり緩めたりすると歯車状回転ローラー対３１、３２は背中上で回転してマッサージ効果を与える。繋引ロープ、伸縮ロープを取り外せば、ハンドルを片手で握って、マッサージ器本体で体の全面や首筋などをマッサージすることができる。【選択図】図８
0003212388.tif 000002
【実用新案登録請求の範囲】
【請求項１】
１本のシャフトに数個の歯車状回転ローラーを回転自在に装架したマッサージ器本体に伸
縮しない素材よりなる繋引ロープと伸縮自在な素材よりなる伸縮ロープとを取り付けると
ともに、上記伸縮ロープの自由端を固定するための固定具を該伸縮ロープの自由端に設け
たことを特徴とする手動式マッサージ器。
【請求項２】
左右両端に第１繋止部及び第２繋止部をそれぞれ有するシャフト、該シャフトに回転自在
に緩装した２個一組の第１歯車状回転ローラー対、上記第１歯車状回転ローラー対と若干
距離をおいて上記シャフトに回転自在に緩装した２個一組の第２歯車状回転ローラー対、
上記第１繋止部に取り付けられた伸縮しない素材よりなる第１繋引ロープ、上記第２繋止
部に取り付けられた伸縮しない素材よりなる第２繋引ロープ、上記第１繋止部に取り付け
られた伸縮自在の素材よりなる第１伸縮ロープ、上記第２繋止部に取り付けられた伸縮自
在の素材よりなる第２伸縮ロープ、及び上記第１伸縮ロープ及び第２伸縮ロープの自由端
に固着された固定具とを備えたことを特徴とする請求項１に記載の手動式マッサージ器。
【請求項３】
左右両端に第１繋止部及び第２繋止部をそれぞれ有するシャフト、該シャフトに回転自在
に緩装した２個一組の第１歯車状回転ローラー対、上記第１歯車状回転ローラー対と若干
距離をおいて上記シャフトに回転自在に緩装した２個一組の第２歯車状回転ローラー対、
上記第１繋止部に取り付けられた伸縮しない素材よりなる第１繋引ロープ、上記第２繋止
部に取り付けられた伸縮しない素材よりなる第２繋引ロープ、上記シャフトのほぼ中央に
取り付けられた伸縮自在の素材よりなる伸縮ロープ及び伸縮ロープの自由端に固着された
固定具とを備えたことを特徴とする請求項１に記載の手動式マッサージ器。
【請求項４】
上記マッサージ器本体に該マッサージ器本体を片手で操作するためのハンドルを設けたこ
とを特徴とする請求項１に記載の手動式マッサージ器。
【請求項５】
上記ハンドルに上記伸縮ロープの一端を取り付けその自由端に固定具を取り付けたことを
特徴とする請求項４に記載の手動式マッサージ器。
【請求項６】
上記第１歯車状回転ローラー対及び上記第２歯車状回転ローラー対が上記シャフト上にお
いて一定の位置を維持するための位置決め部材を上記シャフト上に設けたことを特徴とす
る請求項２及び請求項３のいずれかに記載の手動式マッサージ器。
【請求項７】
上記歯車状回転ローラーは、硬質ゴム、硬質プラスチックス及び木材の群から選ばれた何
れか一つの材料から形成されたことを特徴とする請求項１に記載の手動式マッサージ器。
【考案の詳細な説明】
【技術分野】
【０００１】
本考案は、手動式マッサージ器、特に、他人の手を借りずに自分の背中のマッサージをす
ることができる手動式マッサージ器に関する。
【背景技術】
【０００２】
複数の歯車状回転ローラーを台板に取り付けた手動式マッサージ器は既に各種の様式のも
のが市販されている。
本考案者も３つの歯車状回転ローラーを台板に取り付けた手動式マッサージ器を提案した
（登録実用新案第３０４２８６５号参照）。
【先行技術文献】
【特許文献】
【０００３】
【特許文献１】登録実用新案第３０４２８６５号公報。
【考案の概要】
【考案が解決しようとする課題】
【０００４】
上記登録実用新案第３０４２８６５号公報に開示されている手動式マッサージ器は体の前
面や首筋などに対しては片手で効果的に又容易にマッサージを行うことができる。しかし
、自分の背中に対しては他人の手を借りなければマッサージを行うことができないという
欠点がある。
本考案は自分の背中を他人の手を借りないでマッサージすることができるマッサージ器を
提供することを目的とする。
【課題を解決するための手段】
【０００５】
本考案の手動式マッサージ器は、１本のシャフトに数個の歯車状回転ローラーを回転自在
に装架したマッサージ器本体に伸縮しない素材よりなる繋引ロープと伸縮自在な素材より
なる伸縮ロープとを取り付けるとともに、上記伸縮ロープの自由端を固定するための固定
具を該伸縮ロープの自由端に設けたことを特徴とする。
【０００６】
上記歯車状回転ローラーは２個１組とした歯車状回転ローラー対を２組設け、一方を第１
歯車状回転ローラー対、他方を第２歯車状回転ローラー対と呼ぶ。繋引ロープも２本有し
、一方を第１繋引ロープ他方を第２繋引ロープと呼ぶ。伸縮ロープも２本有し、一方を第
１伸縮ロープ他方を第２伸縮ロープと呼ぶ。上記シャフトの両端にはこれらのロープを取
り付ける箇所がある。説明の都合上、一方を第１繋止部、他方を第２繋止部と呼ぶ。
上記第１繋止部には上記第１繋引ロープ及び第１伸縮ロープの一端を取り付ける。第２繋
止部には上記第２繋引ロープ及び上記第２伸縮ロープの一端を取り付ける。そして上記第
１伸縮ロープ及び上記第２伸縮ロープの自由端を結合してそこにに固定具を取り付ける。
全体の形状はＶ字型ないしはＵ字型を形成する。
【０００７】
他の形態としては、２個１組とした歯車状回転ローラー対を２組設けたマッサージ器本体
及び、シャフトの左右両端の第１繋止部、第２繋止部に第１繋引ロープ、第２繋引ロープ
を取り付けた点は同じ構造を有するが、伸縮ロープの数および取り付け方を異にしている
。すなわち、伸縮ロープは１本使用し、その一端をシャフトの略々中央に取り付ける。他
端には固定具を取り付ける。全体の形状はＴ字型を形成する。
【０００８】
シャフトの左右両端の第１繋止部及び第２繋止部とは、上記第１歯車状回転ローラー対、
および上記第２歯車状回転ローラー対のシャフト上の位置決めと、２本の第１繋引ロープ
及び第２繋引ロープの一端を取り付けるための部分であって、種々の形態のものが用いら
れる。例えば、シャフトの左右両端に固着された細長い棒状の繋止具、シャフトの一端に
取り付けられた環状の突起具、シャフトの一端に突き刺された棒状の突起具等をあげるこ
とができる。
【０００９】
細長い棒状の繋止具の場合はその一端に繋引ロープを取り付けるとともに、その他端に伸
縮ロープを取り付けることができる。環状の突起具の場合は、繋引ロープの一端に設けら
れた取り付け用のループの輪が取り外せる程度の大きさのものが好ましい。環状突起の形
状を卵型にすれば、繋引ロープのループの輪の取り付け取り外しの操作がしやすくなる。
又シャフトに突き刺された棒状の突起具の場合も同様に繋引ロープの一端に設けられた取
り付け用のループの輪が取り外せる程度の大きさのものが好ましい。
【００１０】
上記第１繋引ロープ及び上記第２繋引ロープの先端に設けたループにそれぞれ  革製、柔
らかいプラスチック製又は桐板製の把持具が固着されている。なお、上記第１繋引ロープ
及び上記第２繋引ロープの先端に設けたループを指が入る程度に大きくすれば、このルー
プ部を革製、柔らかいプラスチック製又は桐板製の把持具の代用として使用することもで
きる。
【００１１】
伸縮ロープとしてはゴム紐、ゴム紐の上にプラスチック製の筒状保護外被を被せた通称織
ゴムといわれる紐状弾性体を使用することができる。何れの伸縮ロープにおいても伸び率
は少なくとも２００％以上あるものを使用することを推奨する。
【００１２】
上記第１歯車状回転ローラー対及び上記第２歯車状回転ローラー対の歯車状回転ローラー
は幅広のローラーの円周上に突端が丸くなった歯を８個乃至１２個、特に好ましくは１０
個有する。歯車状回転ローラーの標準的な寸法は幅約１．７ｃｍ、直径約４．５ｃｍのも
のが好ましい。また、この４個の歯車状回転ローラーはシャフトに回転自在に緩装されて
いるが、この緩装の状態は、シャフトの直径に対して回転ローラの回転孔の内径を約１ｍ
ｍ〜２ｍｍ大きくすることが好ましい。このように、極めて緩く嵌め込まれているので、
マッサージ器を背中に当てて上下にこする場合、各回転ローラーは左右に揺れて蛇行状態
で回転する。
【００１３】
上記伸縮ロープが２本の場合は、短い棒状の固定具を使用し、上記第１伸縮ロープ及び上
記第２伸縮ロープの自由端を連結し、その連結部分に上記固定具を固着し、上記第１伸縮
ロープ及び上記第２伸縮ロープによってＶ字状が形成されるように構成することができる
。このように上記第１伸縮ロープ及び上記第２伸縮ロープの自由端を連結するということ
は、上記第１伸縮ロープと上記第２伸縮ロープとを連結した長さを有する１本のロープを
使用することもできる。その際は１本のロープの中間に上記固定具を針金等で固着すれば
よい。
【００１４】
上記伸縮ロープが２本の場合の固定具の別の形態としては、長い棒状の固定具を使用し、
上記第１伸縮ロープ及び上記第２伸縮ロープの自由端を棒状の固定具の両端にそれぞれ接
続して、上記第１伸縮ロープ、上記棒状の固定具及び上記第２伸縮ロープによってＵ字状
が形成されるように構成することもできる。この長い棒状の固定具として、中空のパイプ
を使用した場合は上記第１伸縮ロープ及び上記第２伸縮ロープの自由端を連結し、即ち１
本の長い伸縮ロープを使用して、長い伸縮ロープの一端を上記第１繋止具の一端に連結し
、上記中空のパイプ状の固定具の中を通した後上記第２繋止具の一端に連結しても同様の
形状を形成することができる。
【００１５】
上記固定具は伸縮ロープが１本の場合でも２本の場合でも、上記に例示した短い棒状の固
定具や長いパイプ状の固定具の他に、任意形状の固定具、即ち、この固定具を臀部の下に
敷いて伸縮ロープを引っ張った場合、その張力に耐えて伸縮ロープの一端を臀部の下に保
持できる形状のもの、例えば、任意形状の棒状または板状のもの、任意形状の布製品、任
意形状の革製品、任意形状の柔軟なプラスチック製品、例えばスポンジ状の物等も使用で
きる。板状のものとしては桐材で作成した固定具が丈夫で感触が柔らかくて好ましい。
【００１６】
布製品又は革製品の固定具は、ハンカチ大の大きさにしてその一端にホックや面ファスナ
ー［マジックテープ（登録商標）］を取り付ければ、本考案のマッサージ器を仕舞う場合
、この布又は革の固定具でマッサージ器本体をくるんで端部のホック又は面ファスナーで
固定すれば、きれいに仕舞うことができる。さらに、袋状の固定具を使用することもでき
る。袋状の固定具は手動式マッサージ器をそっくりその袋内に収納することができる。
【００１７】
上記第１歯車状回転ローラー対および上記第２歯車状回転ローラー対が上記シャフトにお
いて一定の位置を維持するために、位置決め部材を上記シャフトに設けるとよい。例えば
、第１繋止具と上記第１歯車状回転ローラー対の間、上記第１歯車状回転ローラー対と上
記第２歯車状回転ローラー対の間及び上記第２歯車状回転ローラー対と上記第２繋止具と
の間にそれぞれチューブ状のスペーサーを上記シャフト上に被せて、上記第１歯車状回転
ローラー対及び上記第２歯車状回転ローラー対がシャフト上で左右に移動しないようにす
る。別の形態としては、シャフトの左右両端に突起を設けてもよい。この突起として、環
状突起や棒状突起を使用することができる。この突起は左右両端に若干間隔を空けて設け
れば、歯車状回転ローラー対の位置決めと、繋引ロープの端部に設けたループの輪がシャ
フトから抜け落ちるのを防止することができる。
【００１８】
上記歯車状回転ローラーは、硬質ゴム、硬質プラスチックス及び木材の群から選ばれた何
れか一つの材料から形成されることができる。硬質ゴム及び硬質プラスチックスは硬度７
０〜８０度のものが好ましい。硬質ゴムの場合はローラーの回転孔の内面が摩耗しやすい
ので内面にチューブ状のプラスチック製のカラーを嵌め込むとよい。
【００１９】
本考案の手動式マッサージ器は人手を借りないで背中をマッサージできるように考案され
たものであるが、自分の体の前部分や首筋などをマッサージすることも可能である。その
ためには、マッサージ器本体に片手で握るためのハンドルを設ければより使用しやすくな
る。例えば、第１歯車状回転ローラー対及び第２歯車状回転ローラー対の間のシャフトに
棒状のハンドルを突設して設ければよい。棒状のハンドルの場合はこのマッサージ器をハ
ンドバック等に収納する場合邪魔になるので、棒状のハンドルの一端をねじ状に加工し、
そのねじ部をシャフトに設けたねじ穴に挿入し着脱自在にすることが望ましい。
【００２０】
他の形態としては、第１繋止具及び第２繋止具にまたがるようにアーチ状のハンドルを設
けてもよい。アーチ状のハンドルの場合も、その両足部に回転孔を設け、これをシャフト
の両端に通して回転自在に支承すれば、仕舞う時にアーチ状ハンドルを長手方向に回動さ
せれば、仕舞う場合に邪魔にならない。勿論、アーチ状ハンドルを起立させた場合に、そ
の回動を阻止するための弾性材より成る回動阻止具を設けることが好ましい。
【００２１】
さらに、他の形態としては、細長い板状のハンドルを設け、その一端に設けた貫通孔に第
１歯車状回転ローラー対及び第２歯車状回転ローラー対の間のシャフトを回動自在に挿通
したものが挙げられる。この細長い板状のハンドルは、１本の伸縮ロープを使用する場合
、シャフトと伸縮ロープを結合するための連結具としても使用できる。即ち、該ハンドル
の他端に貫通孔を設け、そこに伸縮ロープの一端に設けたループを取り付ければよい。
【考案の効果】
【００２２】
（１）本考案の手動式マッサージ器は、１本のシャフトに数個の歯車状回転ローラーを回
転自在に装架したマッサージ器本体に伸縮しない素材よりなる繋引ロープと伸縮自在な素
材よりなる伸縮ロープとを取り付けるとともに、上記伸縮ロープの自由端を固定するため
の固定具を該伸縮ロープの自由端に設けいているので、固定具を臀部の下に敷いて固定し
、マッサージ器本体を背中に当てて、繋引ロープを体の前で引っ張ると、マッサージ器本
体は、伸縮ロープの張力に抗して上方に移動し、次に引っ張る手の力を緩めると伸縮ロー
プの張力によってマッサージ器本体は下方に移動する。この操作を繰り返すと、マッサー
ジ器本体は上下に移動し、それに伴って、第１歯車状回転ローラー対及び第２歯車状回転
ローラー対は回転して、患部を摩擦しマッサージ効果をもたらす。このように本考案のマ
ッサージ器を使用すれば、他人の手を借りずに自分の背中をマッサージすることができる
。
なお、繋引ロープは２本使用して両肩越しに両手で引っ張れば、マッサージ器本体に均等
な力が加わり、安定して前後の移動を行わせることができる。
【００２３】
（２）本考案の手動式マッサージ器は、２個一組の第１歯車状回転ローラー対及び２個一
組の第２歯車状回転ローラー対が、若干距離をおいてシャフトに回転自在に緩装されてい
るので、人間の脊髄の両側にある筋肉にヒットするようになっている。さらに、歯車状回
転ローラーは２個一組になっているので、若干間隔を置いて配列された２つの歯車状回転
ローラーの歯がこった筋肉をもみほぐすのに効果的にヒットすることができる。
さらに、この４個の歯車状回転ローラーはシャフトに回転自在に緩装すなわち緩く嵌め込
まれているので、マッサージ器を背中に当てて上下にこすった場合、各回転ローラーは左
右に揺れて蛇行状態で回転するため、筋肉のこりをほぐす効果が大きくなる。
【００２４】
（３）本考案の手動式マッサージ器は、マッサージ器本体の長さが約１４ｃｍ、幅が約８
ｃｍ、高さが約４ｃｍと小型であるので、女性用のハンドバックに容易に収容できて、携
帯に便利で、しかも、座れる場所があれば、どこでも容易にマッサージを行うことができ
るという効果がある。
【００２５】
（４）本考案の手動式マッサージ器は、マッサージ器本体に手で握るためのハンドルが設
けられているので、自分の体の前部分や首筋などをマッサージするためにも使用すること
が可能である。
【図面の簡単な説明】
【００２６】
【図１】本考案の手動式マッサージ器の平面図。
【図２】第１図の要部の斜視図。
【図３】第２図の側面図
【図４】第３図Ａ−Ａ線による縦断面図。
【図５】本考案の他の実施例の一部を示す説明図。
【図６】本考案の使用方法を示す説明図。
【図７】本考案の使用方法を示す説明図。
【図８】本考案の他の実施例を示す平面図。
【図９】本考案の他の実施例を示す斜視図。
【図１０】本考案の他の使用方法を示す説明図。
【考案を実施するための形態】
【００２７】
本考案の最良の実施形態を次の実施例によって説明する。
【実施例１】
【００２８】
図１〜図４に示されるように、本考案の手動式マッサージ器１のマッサージ器本体２は左
右両端に第１繋止具２１及び第２繋止具２２をそれぞれ有するシャフト２３、シャフト２
３に回転自在に緩装された２個一組の第１歯車状回転ローラー対３１、第１歯車状回転ロ
ーラー対３１と若干距離をおいてシャフト２３に回転自在に緩装された２個一組の第２歯
車状回転ローラー対３２、第１繋止具２１の一端に固着された伸縮しない素材よりなる第
１繋引ロープ４１、第１繋止具２１の他端に固着された伸縮自在な素材よりなる第１伸縮
ロープ５１、第２繋止具２２の一端に固着された伸縮しない素材よりなる第２繋引ロープ
４２、第２繋止具２２の他端に固着された伸縮自在な素材よりなる第２伸縮ロープ５２、
及び第１伸縮ロープ５１及び第２伸縮ロープ５２の自由端に固着された固定具６とよりな
る。
【００２９】
第１歯車状回転ローラー対３１は歯車状回転ローラ３１１が２個一組として、シャフト２
３に回転自在に緩装されている。第２歯車状回転ローラー対３２も同様に歯車状回転ロー
ラ３２１が２個一組として、シャフト２３に回転自在に緩装されている。なお、図２中の
２８は、棒状の保持部を取り付けるためのねじ孔である。
【００３０】
図４に示されるように、歯車状回転ローラ３１１及び歯車状回転ローラ３２１はいずれも
その回転孔の内面に摩耗防止用のプラスチック製のチューブ状のカラー３３，３４がそれ
ぞれ嵌め込まれている。
【００３１】
シャフト２３には２個一組として第１歯車状回転ローラー対３１及び第２歯車状回転ロー
ラー対３２が回転自在に緩装されているが、第１歯車状回転ローラー対３１及び第２歯車
状回転ローラー対３２がシャフト２３の一定の位置を維持するために、位置決め部材とし
て、第１繋止具２１と第１歯車状回転ローラー対３１の間にはチューブ状のスペーサー２
４が、第１歯車状回転ローラー対３１と第２歯車状回転ローラー対３２の間にはやや長め
のチューブ状のスペーサー２５が、第２歯車状回転ローラー対３２と第２繋止具２２との
間にはチューブ状のスペーサー２６がそれぞれ緩装されて、第１歯車状回転ローラー対３
１と第２歯車状回転ローラー対３２の位置が動かないようにしている。
【００３２】
第１歯車状回転ローラー対３１の回転ローラー３１１及び第２歯車状回転ローラー対３２
の回転ローラー３２１は、硬質ゴム、硬質プラスチックス又は木材から造られている。図
２および図３に示されるように、回転ローラー３１１及び３２１はその周面に先端が丸く
加工された歯３８が１２個設けられている。
【００３３】
図１及び図４に示される伸縮しない素材よりなる第１繋引ロープ４１はその一端を第１繋
止具２１の一端に設けられた通孔２１１に通し折り返してアルミ製の針金４１１等で結束
して固定されている。第１繋引ロープ４１の他端には革製又は桐材製等の把持具４３が固
着されている。第２繋引ロープ４２も同様にその一端を第２繋止具２２の一端に設けられ
た通孔２２１に通し折り返してアルミ製の針金４２１等で結束して固定されている。第２
繋引ロープ４２の他端には革製又は桐材製等の把持具４４が固着されている。
【００３４】
この実施例では第１伸縮ロープ５１と第２伸縮ロープ５２は１本の連続した織ゴムよりな
る伸縮ロープより構成されている。第１伸縮ロープ５１の一端は第１繋止具２１の他端に
設けられた通孔２１２に通し折り返してアルミ製の針金５１１等で結束して固定されてい
る。第２伸縮ロープ５２も同様にその一端を第２繋止具２２の他端に設けられた通孔２２
２に通し折り返してアルミ製の針金５２１等で結束して固定されている。第１伸縮ロープ
５１と第２伸縮ロープ５２との接続点には短い棒状の固定具６がアルミ製の針金６１を捲
回して取り付けられている。このように短い固定具６を使用することにより、女性用ハン
ドバッグにも容易に納めることができる。
【実施例２】
【００３５】
図５は他の実施例を示すもので、マッサージ器本体２及び繋引ロープ４１，４２は実施例
１と同じ構造を有する。第１伸縮ロープ５１と第２伸縮ロープ５２は１本の連続した織ゴ
ムよりなる伸縮ロープより構成されている。７は固定具で１８ｃｍ程度の長い中空のパイ
プより構成されていて、その中空のパイプの中に伸縮ロープを通して固定する。その結果
、第１伸縮ロープ５１、固定具７，第２伸縮ロープ５２でＵ字状が形成される。このよう
に長い固定具７を使用することにより、臀部の下に敷いて固定する際外れにくくなる。
【００３６】
本考案の手動式マッサージ器の使用法を述べる。
図６及び図７に示すように、固定具６を臀部の下に敷き、背中にマッサージ器本体２を当
て、左右の手で第１繋引ロープ４１の把持具４３及び第２繋引ロープ４２の把持具４４を
握り、強く前に牽けば、第１伸縮ロープ５１及び第２伸縮ロープ５２は伸張し、第１歯車
状回転ローラー対３１及び第２歯車状回転ローラー対３２は回転してその歯３８の先端で
背中に刺激を与える。両手の力を緩めると、マッサージ器本体２は第１伸縮ロープ５１及
び第２伸縮ロープ５２によって下方に引っ張られ、第１歯車状回転ローラー対３１及び第
２歯車状回転ローラー対３２は逆方向に回転して、その歯３８で背中に刺激を与える。こ
の方法を繰り返すことにより、マッサージ器本体２の第１歯車状回転ローラー対３１及び
第２歯車状回転ローラー対３２によって背中にマッサージ効果を与えることができる。
【実施例３】
【００３７】
図８はさらに他の実施例を示すもので、マッサージ器本体２のシャフト２３には２個一組
として第１歯車状回転ローラー対３１及び第２歯車状回転ローラー対３２が回転自在に緩
装されている。第１歯車状回転ローラー対３１及び第２歯車状回転ローラー対３２がシャ
フト２３の一定の位置を維持するために、位置決め部材として、第１歯車状回転ローラー
対３１及び第２歯車状回転ローラー対３２の間にはチューブ状のスペーサ２５がシャフト
２３にかぶせられている。シャフト２３の両端には位置決め部材として棒状突起２９１，
２９２及び環状突起２８１、２８２がそれぞれ固着されている。
【００３８】
この外側の環状突起２８１をくぐらせて、繋引ロープ４１の端部のループ４１２をシャフ
ト２３にはめ込めば簡単に取り付けることができる。内側の棒状突起２９１は歯車状回転
ローラー対３１の外側の位置決め部材として働く。繋引ロープ４２についても同様に外側
の環状突起２８２をくぐらせて、繋引ロープ４２の端部のループ４２２をシャフト２３に
はめ込めば簡単に取り付けることができる。環状突起２８１，２８２は図９に示すように
平面から見て卵型にすることによって、繋引ロープ４１、４２のループ４１２，４２２を
シャフト２３に嵌め込む操作や取り外す操作を容易にする。
【００３９】
４３及び４４は繋引ロープ４１および繋引ロープ４２の自由端に取り付けた手で握るため
の革製又は桐製の把持具である。この把持具は繋引ロープ４１及び繋引ロープ４２の自由
端のループ４１３，４２３のサイズを指が通る程度に大きくすれば、革製又は桐製の把持
具４３，４４を取り付けずに、その代用の把持具として使用する事ができる。
【００４０】
細長いハンドル８の一端に設けた貫通孔８１に、シャフト２３の中央にかぶせたスペーサ
ー２５を貫通させて、ハンドル８を回動自在に取り付ける。ハンドル８の他端に設けた貫
通孔８２にはリング８３を挿通し、さらにこのリング８３にはフック８４を着脱自在に結
合する。フック８４の他端に設けた小リング８５に伸縮ロープ５３の一端に設けたループ
５４を通して固定する。伸縮ロープ５３の他端に設けたループ５５は方形の板状の固定具
８６の一端に設けた挿通孔８７に通して固定する。
【００４１】
この実施例の手動式マッサージ器は、図１０に示すように、固定具８６をお尻の下に敷
き、マッサージ器本体２を背中に当て、２本の繋引ロープ４１、４２を両手で持って伸縮
ロープ５３の張力に抗して前に引っ張れば、マッサージ器本体２の第１歯車状回転ローラ
ー対３１及び第２歯車状回転ローラー対３２の４個の歯車状回転ローラーは背中の上を回
転しながら前進し、背中にマッサージ効果を与える。繋引ロープ４１、４２を引く手を緩
めれば、マッサージ器本体２は伸縮ロープ５３の張力によって下に引っ張られ、第１歯車
状回転ローラー対３１及び第２歯車状回転ローラー対３２の４個の歯車状回転ローラーは
逆転しながら後退して背中にマッサージ効果を与える。
【００４２】
体の前や首筋をマッサージする場合は、繋引ロープ４１、４２をシャフト２３から取り外
し、伸縮ロープ５３もフック８４を開いてリング８３から取り外す。マッサージ器本体２
のハンドル８を片手でもって体の前や首筋をこすれば、歯車状回転ローラー３１１，３２
１によってマッサージ効果を与えることができる。
【符号の説明】
【００４３】
１  マッサージ器
２  マッサージ器本体
２１  第１繋止具
２２  第２繋止具
２３  シャフト
２８１  環状突起
２８２  環状突起
２９１  棒状突起
２９２  棒状突起
３１  第１歯車状回転ローラー対
３２  第２歯車状回転ローラー対  
４１  第１繋引ロープ
４２  第２繋引ロープ
４１２  ループ
４２２  ループ
５１  第１伸縮ロープ
５２  第２伸縮ロープ
６  固定具
８  ハンドル
８１    挿通孔
８２    挿通孔
８３    リング
８４    フック
８５    小リング
８６    板状固定具
８７    挿通孔
【図１】
0003212388.tif 000003
【図２】
0003212388.tif 000004
【図３】
0003212388.tif 000005
【図４】
0003212388.tif 000006
【図５】
0003212388.tif 000007
【図６】
0003212388.tif 000008
【図７】
0003212388.tif 000009
【図８】
0003212388.tif 000010
【図９】
0003212388.tif 000011
【図１０】
0003212388.tif 000012